(57)【要約】【課題】煙道配管の清掃作業時間を短縮し、もって溶融設備の稼働率を向上させる煙道配管の清掃用工具及び清掃用固定治具を提供する。【解決手段】本発明は、溶融炉２１の排気側に連通する煙道配管３０内の付着物５８を除去するための煙道配管の清掃用工具５３であって、清掃用工具５３は、煙道配管３０の管長より長めのシャフト部５４と、このシャフト部５４の片端に溶接にて取り付けられ、煙道配管の内径と等しい又はやや小さい径の円弧を有する扇状のスクレーパ５５を備える。【選択図】図５
2007255856.tif 000002
【特許請求の範囲】
【請求項１】
廃棄物処理用の溶融炉の煙道に接続される煙道配管の内部を清掃するための工具であって、前記煙道配管よりやや長い棒状のシャフト部と、該シャフト部の片端に一体化して形成され、前記煙道配管の内径と等しい又はやや小さい径の円弧を有する板状のスクレーパ部とを備えることを特徴とする煙道配管の清掃用工具。
【発明の詳細な説明】
【技術分野】
【０００１】
本発明は、溶融炉における煙道配管の清掃用工具に関する。
【背景技術】
【０００２】
原子力発電所で発生する低レベル放射性廃棄物のうち雑固体廃棄物は、ドラム缶に詰められ、モルタル等の充填材にて充填されて所定の埋設場に埋設処分されるが、埋設場の広さには限りがあるので、雑固体廃棄物を減容し、埋設されるドラム缶の数を少なくすることが好ましい。そこで、雑固体廃棄物の減容方法として、例えば、高周波誘導加熱方式による溶融設備が導入されている。
【０００３】
具体的には、溶融設備は、雑固体廃棄物を溶融炉内にセットしたキャニスタ内で溶融して減容し、固化させた後、キャニスタごとドラム缶に詰め、モルタル等の固型化材料を充填して廃棄体とするものである。
【０００４】
溶融炉の上部には、排気排出用の煙道が開口しており、煙道には煙道配管が接続され、この煙道配管はフィルターを介して排ガスブロワ及び排気処理装置に接続されている。排ガスブロワの吸引動作により常時炉内を負圧に保って排気の外部拡散を防止し、排ガスブロワにより吸引された排気は、排気中の粉塵をフィルターで濾過し、排気処理装置を通過させて無害化して大気中に放出される。
【発明の開示】
【発明が解決しようとする課題】
【０００５】
しかしながら、溶融炉にて発生する排気は溶融炉に接続されている煙道配管部において大気により急激に冷却され、その結果、排気中の気体状の金属成分の一部が固体化して煙道配管内面に付着して付着物となり、この付着物が積層して煙道配管を閉塞状態にする。
【０００６】
従来、この付着物を取り除くための清掃作業は棒を用い、叩いて付着物を除去していたが１回の作業で除去できる量が少なく、作業効率が悪いという問題点があった。
【０００７】
また、煙道配管は床面に静置されるために、作業員が長時間腰を曲げて清掃しなければならない、除去した付着物が出口で堆積して付着物の取込が困難であるという問題点があった。
【０００８】
さらに、清掃作業には２日間を要し、この期間は溶融炉を停止しなければならず溶融炉の稼働率が低下するという問題点があった。
【０００９】
そこで、本発明は上記問題を解決するものであり、その目的は、清掃専用の工具類を用いて煙道配管の清掃作業時間を短縮し、もって溶融炉の稼働率を向上させる煙道配管の清掃用工具及び清掃用固定治具を提供するものである。
【課題を解決するための手段】
【００１０】
上記問題を解決する本発明の煙道配管の清掃用工具は、廃棄物処理用の溶融炉の煙道に接続される煙道配管の内部を清掃するための工具であって、前記煙道配管よりやや長い棒状のシャフト部と、該シャフト部の片端に一体化して形成され、前記煙道配管の内径と等しい又はやや小さい径の円弧を有する板状のスクレーパ部とを備えることを特徴とする（第１の発明）。
【発明の効果】
【００１１】
本発明によれば、煙道配管の清掃作業時間の短縮が可能となり、もって溶融設備の稼働率を向上させることが可能となる。
【発明を実施するための最良の形態】
【００１２】
以下、本発明の実施形態について図面を用いて詳細に説明する。図１は本発明の第一実施形態における放射性廃棄物処理設備の全体構成を示す図である。図１に示すとおり、雑固体廃棄物溶融設備は、雑固体廃棄物を仕分けする前処理設備１と、仕分けされた雑固体廃棄物のうち溶融可能な廃棄物を溶融するための溶融設備２と、溶融終了後の溶融廃棄物３１を収納したドラム缶３２に、モルタルを充填して充填固化体とするモルタル固化設備３と、充填固化体を一時保管する保管設備４からなる。
【００１３】
溶融設備２では、高周波誘導コイル２０が螺旋状に巻回されている溶融炉２１内にセットしたキャニスタ１２内部を１５００℃程度に昇温させ、溶融対象物８を溶融して減容させる。溶融炉２１にて発生する排気は、煙道配管３０、フィルター２７を通過して排気処理装置２９にて処理される。
【００１４】
図２は本発明の第一実施形態における煙道配管の組立て図である。図２に示すとおり、煙道配管３０は、例えば、いずれも肉厚のステンレス円筒鋼管であり、その両端に形成されたフランジ３０ａにより耐熱ガスケット５０を挟んで連結されている。清掃作業時には個々の煙道配管３０に分離される。
【００１５】
図３は本発明の第一実施形態における清掃用工具を示す図である。図３に示すとおり、清掃用工具５３は、煙道配管３０よりやや長めの鋼製のパイプからなるシャフト部５４と、このシャフト部５４の片端に溶接にて取り付けられ、煙道配管３０の内径と等しい又はやや小さい径の円弧を有する扇状のスクレーパ５５とを備える。
【００１６】
図４は本発明の第一実施形態における清掃用工具を用いた清掃作業方法を示す図である。図４に示すとおり、溶融炉２１にて発生する排気が煙道配管３０において大気により急激に冷却され、排気中の気体状の金属成分の一部が固体化して煙道配管３０内面に付着した付着物５８は煙道配管３０の内周部全体にわたって付着しており、煙道配管３０の一端側の開口部から作業員が清掃用工具５３を押込むことにより、付着物５８は煙道配管３０の内面から剥離され、他端側に押出される。または、清掃用工具５３を引込むことにより、付着物５８は煙道配管３０の内面から剥離され、手前へ掻き出される。スクレーパ５５が煙道配管３０の内面と接するために、煙道配管３０内の全面を一度に清掃でき、効率よく付着物５８の除去が可能である。
【００１７】
なお、付着物５８は二次凝集により配管内面にケーキ状に付着するだけでなく、タール分などの粘着物質により、粘着固化している場合があり、単なる押出し作業だけでは、不十分な場合がある。そこで、例えば、押出し作業の前に、バイブレータ式の鋼棒などの補助器具にて粘着固化部を破砕しておく方法も効果的である。また、状況に応じて、最も効率的な方法を選択することが可能である。
【００１８】
図５は本発明の第二実施形態における清掃用工具を示す図である。なお、清掃用工具の基本的構成は第一実施形態と同様であるため、同一箇所には同一符号を付してその説明を省略する。図５に示すとおり、清掃用工具５９は、シャフト部５４と、このシャフト部５４の片端に溶接にて取り付けられ、煙道配管３０の内径と等しい又はやや小さい径の円弧を有する板状のスクレーパ６０とを備える。
【００１９】
なお、上述したすべての実施形態において、１枚のスクレーパを用いる方法について説明したが、これに限定されるものではなく、複数枚のスクレーパを備えた清掃用工具５３、５９を用いてもよい。
【図面の簡単な説明】
【００２０】
【図１】本発明の第一実施形態における放射性廃棄物処理設備の全体構成を示す図である。
【図２】本発明の第一実施形態における煙道配管の組立て図である。
【図３】本発明の第一実施形態における清掃用工具を示す図である。
【図４】本発明の第一実施形態における清掃用工具を用いた清掃作業方法を示す図である。
【図５】本発明の第二実施形態における清掃用工具を示す図である。
【符号の説明】
【００２１】
１  前処理設備                    ２  溶融設備
３  モルタル固化設備              ４  保管設備
８  溶融対象物                    １２  キャニスタ
３２  ドラム缶                    ２０  高周波誘導コイル
２１  溶融炉                      ２７  フィルター
２９  排気処理装置                ３０  煙道配管
３０ａ  フランジ                  ３１  溶融廃棄物
５０  耐熱ガスケット              ５３、５９  清掃用工具
５４  シャフト部                  ５５、６０  スクレーパ
５８  付着物
【図１】
2007255856.tif 000003
【図２】
2007255856.tif 000004
【図３】
2007255856.tif 000005
【図４】
2007255856.tif 000006
【図５】
2007255856.tif 000007